(57)【要約】【課題】自装置と、一つ以上の情報端末装置とで協調してコンテンツを再生している場合に着信があっても、再生中のコンテンツの視聴を妨げないコンテンツ再生装置を実現する。【解決手段】コンテンツ再生装置（１）は、着信を検出する着信検出部（２１０）と、コンテンツの協調再生中に着信が検出されると、当該再生中のコンテンツを、当該コンテンツの視聴を妨げないように再構成するコンテンツ再構成処理部（２２０）と、を備える。【選択図】図１
2017118383.tif 000002
【特許請求の範囲】
【請求項１】
コンテンツを再生可能な一つ以上の情報端末装置と協調して、上記コンテンツを再生するコンテンツ再生装置であって、
自装置および上記一つ以上の情報端末装置のうち、少なくとも一つの装置が電話機能を有する場合に、当該電話機能を有する装置の着信を検出する着信検出部と、
上記一つ以上の情報端末装置と協調してコンテンツを再生しているときに、上記着信検出部により着信が検出されると、当該再生中のコンテンツの視聴を妨げないように、当該コンテンツを構成する各要素の再生を自装置および上記一つ以上の情報端末装置がどのように分担するかを再構成するコンテンツ再構成処理部と、を備えていることを特徴とするコンテンツ再生装置。
【請求項２】
上記コンテンツ再構成処理部は、
自装置が上記一つ以上の情報端末装置と協調してコンテンツを再生しているときに、上記着信検出部により着信が検出されると、再生中のコンテンツを、着信のあった装置を除いた残りの装置を用いて再構成することを特徴とする請求項１に記載のコンテンツ再生装置。
【請求項３】
上記コンテンツ再構成処理部は、
自装置が上記一つ以上の情報端末装置と協調してコンテンツを再生しているときに、上記着信検出部により着信が検出されると、当該着信が、着信のあった装置が再生中のコンテンツの視聴を妨げるか否かを判定し、当該コンテンツの視聴を妨げると判定した場合、当該コンテンツの視聴を妨げない装置に上記着信を転送することを特徴とする請求項１に記載のコンテンツ再生装置。
【請求項４】
上記コンテンツ再構成処理部は、
自装置が上記一つ以上の情報端末装置と協調してコンテンツを再生しているときに、上記着信検出部により着信が検出されると、再生中のコンテンツの再構成前に、着信していることを示す着信アイコンを、上記着信のあった装置のコンテンツ再生画面上に表示させることを特徴とする請求項１〜３の何れか１項に記載のコンテンツ再生装置。
【請求項５】
コンテンツを再生可能な一つ以上の情報端末装置と協調して、上記コンテンツを再生するコンテンツ再生装置の制御方法であって、
コンテンツ再生装置および上記一つ以上の情報端末装置のうち、少なくとも一つの装置が電話機能を有する場合に、当該電話機能を有する装置の着信を検出する着信検出ステップと、
上記コンテンツ再生装置と上記一つ以上の情報端末装置とが協調してコンテンツを再生しているときに、上記着信検出ステップにおいて着信が検出されると、当該再生中のコンテンツの視聴を妨げないように、当該コンテンツを構成する各要素の再生を上記コンテンツ再生装置および上記一つ以上の情報端末装置がどのように分担するかを再構成するコンテンツ再構成処理ステップと、を含むことを特徴とするコンテンツ再生装置の制御方法。
【請求項６】
請求項１に記載のコンテンツ再生装置としてコンピュータを機能させるための制御プログラムであって、上記着信検出部および上記コンテンツ再構成処理部としてコンピュータを機能させるための制御プログラム。
【発明の詳細な説明】
【技術分野】
【０００１】
本発明は、コンテンツを再生可能な一つ以上の情報端末装置と協調して、上記コンテンツを再生するコンテンツ再生装置、コンテンツ再生装置の制御方法、および制御プログラムに関する。
【背景技術】
【０００２】
近年、一つ以上の情報端末装置が協調してコンテンツを再生する技術が、例えば特許文献１に開示されている。
【先行技術文献】
【特許文献】
【０００３】
【特許文献１】特開２０１０−２６２１５号公報（２０１０年２月４日公開）
【発明の概要】
【発明が解決しようとする課題】
【０００４】
しかしながら、上述のような従来技術では、コンテンツの再生に用いられる情報端末得装置のなかに電話機能を有する装置が含まれていて、コンテンツ再生中に着信があった場合、当該着信のあった情報端末装置に着信を示す表示等が行われ、再生中のコンテンツの視聴がし難くなる虞があるという問題が生じる。
【０００５】
本発明は、前記の問題点に鑑みてなされたものであり、その目的は、自装置と、一つ以上の情報端末装置とで協調してコンテンツを再生している場合であっても、再生中のコンテンツの視聴を妨げないコンテンツ再生装置等を実現することにある。
【課題を解決するための手段】
【０００６】
上記の課題を解決するために、本発明の一態様に係るコンテンツ再生装置は、コンテンツを再生可能な一つ以上の情報端末装置と協調して、上記コンテンツを再生するコンテンツ再生装置であって、自装置および上記一つ以上の情報端末装置のうち、少なくとも一つの装置が電話機能を有する場合に、当該電話機能を有する装置の着信を検出する着信検出部と、上記一つ以上の情報端末装置と協調してコンテンツを再生しているときに、上記着信検出部により着信が検出されると、当該再生中のコンテンツの視聴を妨げないように、当該コンテンツを構成する各要素の再生を自装置および上記一つ以上の情報端末装置がどのように分担するかを再構成するコンテンツ再構成処理部と、を備えていることを特徴としている。
【０００７】
また、本発明の一態様に係るコンテンツ再生装置の制御方法は、コンテンツを再生可能な一つ以上の情報端末装置と協調して、上記コンテンツを再生するコンテンツ再生装置の制御方法であって、コンテンツ再生装置および上記一つ以上の情報端末装置のうち、少なくとも一つの装置が電話機能を有する場合に、当該電話機能を有する装置の着信を検出する着信検出ステップと、上記コンテンツ再生装置と上記一つ以上の情報端末装置とが協調してコンテンツを再生しているときに、上記着信検出ステップにおいて着信が検出されると、当該再生中のコンテンツの視聴を妨げないように、当該コンテンツを構成する各要素の再生を上記コンテンツ再生装置および上記一つ以上の情報端末装置がどのように分担するかを再構成するコンテンツ再構成処理ステップと、を含むことを特徴としている。
【発明の効果】
【０００８】
本発明の一態様によれば、自装置と、一つ以上の情報端末装置とで協調してコンテンツを再生している場合に着信があっても、再生中のコンテンツの視聴を妨げないという効果を奏する。
【図面の簡単な説明】
【０００９】
【図１】本発明の実施形態１に係るコンテンツ再生装置の概略ブロック図である。
【図２】（ａ）〜（ｅ）は、本発明の実施形態１に係るコンテンツ再構成処理の概要を示す図である。
【図３】図２に示すコンテンツ再生装置における処理の流れを示すフローチャートである。
【図４】（ａ）（ｂ）は、本発明の実施形態２に係るコンテンツ再構成処理の概要を示す図である。
【図５】（ａ）（ｂ）は、本発明の実施形態２に係るコンテンツ再構成処理の他の概要を示す図である。
【図６】コンテンツ再構成処理の流れの一例を示すフローチャートである。
【図７】一般的なコンテンツ再構成処理の概要を示し、（ａ）は着信前、（ｂ）は着信時のコンテンツの表示例を示す図である。
【図８】本発明の実施形態３に係るコンテンツ再構成処理の一例の概要を示す図である。
【図９】本発明の実施形態３に係るコンテンツ再構成処理の他の例の概要を示す図である。
【図１０】本発明の実施形態３に係るコンテンツ再構成処理のさらに他の概要を示す図である。
【図１１】本発明の実施形態３に係るコンテンツ再構成処理の流れを示すフローチャートである。
【発明を実施するための形態】
【００１０】
〔実施形態１〕
以下、本発明の第１の実施形態について説明する。まず、本実施形態に係るコンテンツ再生装置について図１を用いて説明する。図１は、コンテンツ再生装置１の概略ブロック図である。
【００１１】
（コンテンツ再生装置）
コンテンツ再生装置１は、コンテンツを再生可能な装置であって電話機能を有している装置である。ここで、コンテンツとは、コンテンツ再生装置１に備えられたいずれかの出力デバイスから出力される情報であり、例えばコンテンツ再生装置１のディスプレイに表示される画像（静止画または動画）、スピーカから出力される音声、コンテンツ再生装置１の照明の明滅、ならびにバイブレーションの駆動および停止などを１つ以上組み合わせたものである。以降、上記コンテンツのデータ（つまり、音声データや画像データ、照明やバイブレーションの駆動指示を示す情報など）をまとめて、コンテンツデータと称する。また、上記コンテンツデータをコンテンツ再生装置１の各種出力デバイスから出力することを、「コンテンツを再生する」と称する。
【００１２】
またコンテンツ再生装置１は、自装置と、コンテンツを再生可能な一つ以上の情報端末装置とで協調して、上記コンテンツを再生することが可能な装置である。以降、コンテンツ再生装置１と、上記一つ以上の情報端末装置とで協調してコンテンツを再生することを、「コンテンツを協調再生する」と称する。コンテンツ再生装置１は換言すると、コンテンツを協調再生する際に、自装置とともに協調再生を行う情報端末装置の協調再生を制御する制御用端末であるともいえる。なお、コンテンツを協調再生する場合、電話機能はコンテンツ再生装置１ではなく、協調再生を行う情報端末装置のいずれかに備えられていてもよい。より詳しくは、電話機能は、コンテンツ再生装置１およびコンテンツ再生装置１と協調再生を行う情報端末装置のうち、少なくとも１台の装置に備えられていればよい。コンテンツ再生装置１は、図示の通り、通話用アンテナ１０と、放送用アンテナ１１と、通信用アンテナ１２と、通信処理部２０と、チューナ部２１と、端末間通信処理部２２と、入力装置３０と、記憶装置４０と、データ処理部１００と、コンテンツ再生処理部２００と、端末情報取得部５０と、設定情報記録部４１と、音声処理部６０と、スピーカ７０と、映像処理部８０と、データ放送処理部８１と、番組情報表示処理部８２と、提示処理部８３と、ディスプレイ９０とを備えている。
【００１３】
通話用アンテナ１０は、コンテンツ再生装置１の電話機能において、通話のための各種信号を送受信するアンテナである。上記信号とは例えば、通話の呼出信号、応答信号、終了信号、および切断信号、ならびに通話中の音声信号などである。なお以降、通話用アンテナ１０が他の装置からの通話の呼出信号を受信することを「着信」と称する。
【００１４】
通信処理部２０は、通話用アンテナ１０における、上述した通話のための各種信号の送受信を制御する。通信処理部２０は通話用アンテナ１０が受信した信号（着信したときの呼出信号など）を取得し、データ処理部１００へと送信する。また通信処理部２０はデータ処理部１００から受信した信号（通話中の音声信号など）を通話用アンテナ１０に送信させる。
【００１５】
放送用アンテナ１１は放送波を受信するアンテナである。チューナ部２１は、放送用アンテナ１１が受信した放送波から、映像データ、音声データ、データ放送用データ、および番組情報をコンテンツデータとして取り出し、それぞれをデータ処理部１００へ出力する。
【００１６】
通信用アンテナ１２は、コンテンツ再生装置１が他の情報端末装置と通信を行う際に使用するアンテナである。端末間通信処理部２２は他の情報端末装置との通信を制御する。
【００１７】
コンテンツの協調再生を行う際、端末間通信処理部２２はコンテンツ再生処理部２００から受信したコンテンツデータおよび当該コンテンツデータの出力設定を示す情報を、通信用アンテナ１２を介し他の情報端末装置に送信する。また、他の情報端末装置において着信があった場合、端末間通信処理部２２は通信用アンテナ１２を介し、着信のあった情報端末装置から当該着信があったことを示す情報を受信し、当該情報をコンテンツ再生処理部２００に送信する。
【００１８】
入力装置３０は、ユーザの各種入力操作を受付ける。より具体的には、入力装置３０は着信した電話を受けるためのユーザの入力操作を受付ける。また、入力装置３０は通話の終了を指示するユーザの入力操作を受付ける。なお、入力装置３０は、ディスプレイ９０と一体に構成されたタッチパネルとして実現してもよい。
【００１９】
記憶装置４０は、コンテンツ再生装置１における各種データを格納する記憶装置である。具体的には、記憶装置４０はコンテンツ再生装置１（または複数の情報端末装置）が出力するコンテンツデータを格納している。記憶装置４０に格納されているコンテンツデータはデータ処理部１００により読み出され、データ処理部１００の制御のもとスピーカ７０およびディスプレイ９０の少なくとも一方を用いて出力される。設定情報記録部４１は、再生中のコンテンツに係る情報（再生中のコンテンツデータ、当該データ中の再生箇所、再生に係る各種出力設定など）を記録する。なお、図１では設定情報記録部４１は記憶装置４０と別個の記憶装置としたが、記憶装置４０と設定情報記録部４１とは１つの記憶装置であってもよい。
【００２０】
（コンテンツ再生処理部）
データ処理部１００は、通話に係る入出力と、コンテンツデータの出力を統括的に制御するものである。データ処理部１００は、通話用アンテナ１０および通信処理部２０を介し通話に係る信号（着信時の呼出信号など）を受信し、当該信号の種類に応じて各種入出力デバイス（スピーカ７０およびマイク（図示せず））を制御する。
【００２１】
また、データ処理部１００は、記憶装置４０またはチューナ部２１からコンテンツデータを取得し、当該コンテンツデータのうち音声データは音声処理部６０に、画像データは映像処理部８０に送る。なお、コンテンツデータがデジタル放送波を復調したデータである場合、コンテンツデータは画像（映像）データと、データ放送データと、番組情報とを含む。この場合、データ処理部１００は画像データを映像処理部８０に送るとともに、データ放送データはデータ放送処理部８１に、番組情報は番組情報表示処理部８２へと送る。また、データ処理部１００は、コンテンツデータの少なくとも一つの要素の出力に係る出力設定を規定する。具体的には、出力設定とは例えば音声データ出力時の音量、音質、または音響効果の設定や、画像データ出力時の画質、表示サイズ、画面の明るさの設定、画像データとデータ放送データと番組情報それぞれの大きさおよび位置関係などである。
【００２２】
端末情報取得部５０は、コンテンツ再生装置１の端末情報を取得し、コンテンツ再生処理部２００へ送信する。ここで、端末情報とは、ディスプレイ９０のサイズおよび解像度など、各種出力デバイスについての情報を示す。もしくは、端末情報とは、データ処理部１００が規定する出力設定（ディスプレイ９０の表示面の明るさ、およびスピーカ７０からの出力音量など）を含んでいてもよい。
【００２３】
コンテンツ再生処理部２００は、コンテンツ再生装置１と、一つ以上の情報端末装置との協調再生に係る処理を行う。具体的には、コンテンツ再生処理部２００は、通信用アンテナ１２および端末間通信処理部２２を介し情報端末装置の端末情報を取得するとともに、端末情報取得部５０から自装置の端末情報を取得する。そして、コンテンツ再生処理部２００は、取得した自装置および情報端末装置の端末情報と、データ処理部１００が再生させるコンテンツデータおよび出力設定に基づいて、自装置および各情報端末装置における出力の分担を決定し、端末間通信処理部２２および通信用アンテナ１２を介し各情報端末装置に送信する。これにより、コンテンツの協調再生が実現する。
【００２４】
また、コンテンツ再生処理部２００は、コンテンツデータの出力中（コンテンツの再生中）に着信があった場合、すなわち着信割込があった場合に、コンテンツの協調再生を再構成するための処理を実行するため、着信検出部２１０およびコンテンツ再構成処理部２２０を含む。
【００２５】
着信検出部２１０は、コンテンツ再生装置１、またはコンテンツ再生装置１とコンテンツの協調再生を行っている情報端末装置における着信を検出するものである。着信検出部２１０は、通信用アンテナ１２および端末間通信処理部２２を介し、自装置と協調再生を行っている情報端末装置における着信を示す情報を受信することにより、当該情報端末装置における着信を検出する。また、着信検出部２１０はデータ処理部１００が通話用アンテナ１０および放送用アンテナ１１を介し、着信に係る信号を受信したことを検出することにより、自装置（コンテンツ再生装置１）における着信を検出する。また、着信検出部２１０は、コンテンツ再生装置１、またはコンテンツ再生装置１と協調再生を行う情報端末装置における、着信への応答（電話を受けた旨）および通話の終了も検出する。着信検出部２１０は、着信、着信への応答、および通話の終了を検出した場合、コンテンツ再構成処理部２２０に当該検出を伝える。
【００２６】
コンテンツ再構成処理部２２０は、コンテンツの協調再生中に着信検出部２１０により着信が検出された場合に、当該再生中のコンテンツを、当該コンテンツの視聴を妨げないように再構成するものである。ここで、「再構成」とは、協調再生中のコンテンツの視聴を妨げないように、当該コンテンツを構成する各要素（音声出力の各要素および画面表示の各要素）の再生を自装置および一つ以上の情報端末装置がどのように分担するかを再構成することを示す。コンテンツ再構成処理部２２０は、着信検出部２１０が着信を検出した場合で、かつ、コンテンツ再生装置１がコンテンツの協調再生中である（コンテンツ再生処理部２００が協調再生に係る制御を行っている）場合、着信割込であると検知する。コンテンツ再構成処理部２２０は着信割込を検知した場合、再生中のコンテンツの音声出力および画面表示を、当該コンテンツの視聴を妨げないように再構成する（コンテンツ再構成処理）。また、コンテンツ再構成処理部２２０は再生中のコンテンツに係る情報を設定情報記録部４１に記憶させる。また、コンテンツ再構成処理部２２０は、コンテンツ再生装置１またはコンテンツ再生装置１と協調再生を行っている情報端末装置における通話の終了を検知すると、上記通話が終了した装置を含めてコンテンツの協調再生をもう一度再構成する。
【００２７】
音声処理部６０は、データ処理部１００から受信した音声データを、データ処理部１００が規定した出力設定でスピーカ７０に出力させる。スピーカ７０は、音声処理部６０の制御に従って音声データを出力する。
【００２８】
映像処理部８０は、データ処理部１００から受信した画像データにデータ処理部１００が規定した出力設定を適用させ、提示処理部８３に送る。データ放送処理部８１は、データ処理部１００から受信したデータ放送データに、データ処理部１００が規定した出力設定を適用させ、提示処理部８３に送る。番組情報表示処理部８２は、データ処理部１００から受信した番組情報をコンテンツ再生装置１にて予め定められた様式（例えば電子番組表や番組リストなど）の番組表示データに加工し、当該番組表示データを提示処理部８３に送る。なおこのとき、番組情報表示処理部８２は上記番組表示データに、データ処理部１００が規定した出力設定を適用させる。提示処理部８３は、少なくとも映像処理部８０から受信した画像データを映像信号に変換しディスプレイ９０に出力させる。なお、提示処理部８３は、データ放送処理部８１および番組情報表示処理部８２の少なくとも一方から入力されるデータ（データ放送データ、番組表示データ）と、画像データとをデータ処理部１００の規定した出力設定に従って配置し、１つの映像信号に変換してディスプレイ９０に出力させてもよい。ディスプレイ９０は提示処理部８３の制御に従って上記映像信号を出力する。
【００２９】
（コンテンツ再構成処理の概要説明）
次に、本実施形態に係るコンテンツ再生装置１におけるコンテンツ再構成処理について、図２および図３を用いて説明する。図２の（ａ）〜（ｅ）は、本実施形態に係るコンテンツ再構成処理の概要を示す図である。なお図２以降の図では、コンテンツ再生装置１または情報端末装置である端末Ａ〜Ｄの計４台のディスプレイ９０（ディスプレイ９０Ａ〜Ｄ）を用いて、図２の（ａ）に示す通り、コンテンツ再生装置１が音声付きの動画と、番組情報と、データ放送（天気予報）とをコンテンツとして各情報端末装置に振り分け、協調再生する場合を例にとり説明する。また、特段の記載がない限り、端末Ｃがコンテンツ再生装置１（協調再生の制御用端末）であるとして説明する。
【００３０】
端末Ａ〜Ｄのディスプレイ９０（ディスプレイ９０Ａ〜９０Ｄ）は、図２の（ａ）に示すように、動画と、番組情報と、データ放送とを分担して協調再生している。また、端末ＡおよびＤにおいて、各コンテンツに係る音声出力が行われている。このようなコンテンツの協調再生中に、端末Ａに対し電話がかかってきたとする。この場合、端末Ｃは、図２の（ｂ）に示すように、コンテンツの協調再生を再構成する。
【００３１】
コンテンツの協調再生において、コンテンツデータには、動画、静止画、音声データ、文字データなどが含まれており、音声データのように、他のコンテンツデータと共存できるデータも存在する。そのため、コンテンツ再構成処理部２２０は着信割込によりある装置が協調再生に利用できなくなった際、コンテンツデータの各要素や、優先度（後述）から、最適な状態でコンテンツの協調再生を継続できるように、コンテンツの協調再生を再構成する。
【００３２】
具体的には、端末Ａに割り当てられていた音声出力が端末Ｂから行われるように、コンテンツの音声出力を再構成する。また、図２の（ａ）において端末Ａのディスプレイ９０Ａは、端末Ｂのディスプレイ９０Ｂとともに１つの動画を再生しているが、着信割込があると、端末Ｃは上記動画の再生を端末Ｃ（自装置）のディスプレイ９０Ｃにて行うこととし、端末Ｂには番組情報を表示するよう、ディスプレイ９０Ｂ〜Ｄに表示される画像（動画）を再構成する。そして、着信があった端末Ａには、着信画面を表示させる。なお、着信画面とは、ユーザに着信を報知する文字またはアイコン等の画像を含む画面である。
【００３３】
図２の（ｂ）に示す例では、協調再生の再構成により、コンテンツ再生に係る音声出力は端末Ｂが出力することとし、再構成前は端末ＡとＢで表示していた動画を端末Ｃ単独で表示することとしたが、音声出力および画面表示の振り分けは、図２の（ｂ）の場合に限定されない。例えば、いずれの端末がコンテンツの音声出力を行うかについては、各端末のスピーカ７０の特性や、音声出力の設定に応じて決定してもよい。また例えば、いずれの端末が、いずれの画像（動画）を表示するかについても、ディスプレイ９０の画面サイズや解像度などディスプレイ９０の特性に応じて決定すればよい。以降の図でも同様である。
【００３４】
また、図２の（ａ）に示す協調再生中に、端末Ｂに対し電話がかかってきたとする。この場合、端末Ｃは、図２の（ｃ）に示すように、コンテンツの協調再生を再構成する。具体的には、端末Ｂは、協調再生中に音声出力を行っていなかったため、端末Ｃのコンテンツ再構成処理部２２０はコンテンツの音声出力を行う端末は変更しない（端末ＡおよびＤが引き続き音声出力する）。一方、コンテンツの協調再生の再構成前は動画を端末ＡとＢで表示していたので、端末Ｃはコンテンツの再構成の一つとして、画面表示の再構成を行う。例えば、端末Ｃが自装置で動画を表示し、端末Ａ（着信のあった端末Ｂとともに１つの動画を表示していた端末）は、番組情報を表示する。
【００３５】
また、端末Ｂが制御用端末のコンテンツ再生装置１である場合で、図２の（ａ）に示すような協調再生中に、端末Ｃに対し電話がかかってきたとする。この場合も図２の（ｂ）と同様、端末Ｃは音声出力を行っていないので、端末Ｂのコンテンツ再構成処理部２２０はコンテンツの音声出力を行う端末は変更しない。また、着信があった端末Ｃは、図２の（ａ）に示す通り、着信前は番組情報を表示している。ここで、番組情報は、着信画面の表示よりも優先度が低い表示要素であるため、端末Ｂは、番組情報の表示は他の端末に割り振らずに、端末Ｃに着信画面を表示させる（図２の（ｄ））。このように、図２の（ｄ）に示すケースでは、コンテンツ再生装置１である端末Ｂは、音声出力も画面表示も再構成しない。すなわち、コンテンツの協調再生を再構成しない。
【００３６】
ここで、表示要素とは、コンテンツ中の各表示データ（例えば動画データ、データ放送データ、番組情報など）または当該表示データに含まれ、協調再生を行う各装置で表示される分の画像やオブジェクトを示す。また、表示要素の優先度とは、いずれの表示要素が、コンテンツの視聴において優先されるか否かを順位づけしたものである。当該順位づけは、各表示要素が表示する内容に応じて決定される。決定方法は特に限定されないが、例えば、動画データは、コンテンツ中の主たる表示要素であるので、文字データである表示要素よりも優先度が高く設定されることが望ましい。また、文字データの中でも、表示する内容によって優先度を設定してもよい、例えば図２の場合では、動画データが最も優先度が高く、次にデータ放送データ（図２の例では「天気予報」）など、独立した情報や、重要な情報を表示する表示要素、そして当該表示要素を表示しなくても、コンテンツの視聴に影響が少ないと判定される番組情報、の順に優先度が設定されていることとする。なお、当該優先度はユーザが設定可能であってもよい。また、表示要素とともに、または表示要素の代わりに、音声出力の各要素（例えばＢＧＭ、動画中の発話音声、効果音など音声の種類など）についても優先度を設け、当該優先度に従って各端末で出力すべき音声を決定し分担して出力してもよい。
【００３７】
また、端末Ｂが制御用端末のコンテンツ再生装置１である場合で、図２の（ａ）に示すような協調再生中に、端末Ｄに対し電話がかかってきたとする。この場合、端末Ｂは図２の（ｅ）に示すように、コンテンツの協調再生を再構成する。具体的には、端末Ｂは、協調再生中に音声出力を行っていなかったため、端末Ｃのコンテンツ再構成処理部２２０はコンテンツの音声出力を行う端末は変更しない（端末ＡおよびＤが引き続き音声出力する）。一方、端末Ｃはコンテンツの再構成の一つとして、画面表示の再構成を行う。例えば、端末Ｃは、端末Ｄで表示されていたデータ放送を、当該データ放送より低い優先度である番組情報を表示していた端末（自端末）で表示し、端末Ｄに着信画面を表示させる。
【００３８】
（コンテンツ再構成処理の流れ）
図３は、図２の（ａ）〜（ｅ）に示すコンテンツ再生装置１における処理の流れを示すフローチャートである。コンテンツ再生装置１の着信検出部２１０は、協調再生中に自装置または情報端末装置に対する着信を検出する（着信検出ステップ）。コンテンツ再構成処理部２２０はコンテンツ再生装置１がコンテンツの協調再生中であるか否かを判定し、協調再生中である場合、着信割込があったと検知する（Ｓ１０１）。着信割込を検知した場合、コンテンツ再構成処理部２２０は、着信があった装置が自装置（コンテンツ再生装置、すなわち制御用端末）であるか否かを調べる（Ｓ１０２）。着信があったのが自装置でない場合（Ｓ１０２でＮＯ）、コンテンツ再構成処理部２２０は次に、着信があった情報端末装置が、コンテンツ再生に係る音声出力を行っていたか否かを調べる（Ｓ１０４）。音声出力を行っていた場合（Ｓ１０４でＹＥＳ）、コンテンツ再構成処理部２２０は着信があった情報端末装置を除いた端末を用いて、コンテンツの協調再生のうち、音声出力を再構成する（Ｓ１０５）。なお、着信があった装置がコンテンツ再生に係る音声出力を行っていなかった場合（Ｓ１０４でＮＯ）、Ｓ１０５の処理、すなわち音声出力の再構成は行わなくて良い。
【００３９】
音声出力の再構成とともに、コンテンツ再構成処理部２２０は画面表示の再構成も行う。具体的には、コンテンツ再構成処理部２２０はまず、着信のあった装置において再生している表示要素（要素Ｄとする）を取得する（Ｓ１０６）。そして、コンテンツ再構成処理部２２０は特定した要素Ｄの優先度と、着信のなかった装置それぞれにおける表示要素との優先度を比べる。要素Ｄよりも優先度が低い表示要素が、着信のなかったいずれかの装置で表示されている場合（Ｓ１０７でＹＥＳ）、コンテンツ再構成処理部２２０は、協調再生中の装置のうち着信があった装置を除いた装置で、コンテンツの画面表示の再構成を行う（Ｓ１０８）。より詳しくは、コンテンツ再構成処理部２２０は、要素Ｄよりも優先度の低い表示要素（より望ましくは、最も低い優先度を有する表示要素）を表示している装置について、当該表示要素に代わり要素Ｄを表示させる。一方、要素Ｄよりも優先度が低い表示要素が、着信のなかったいずれの情報端末装置にも表示されていない場合（Ｓ１０７でＮＯ）、コンテンツ再構成処理部２２０はＳ１０８の再構成は行わない。最後に、コンテンツ再構成処理部２２０は着信があった装置に着信画面を表示させる（Ｓ１０９）。なお、着信があった装置がコンテンツ再生装置１であった場合（Ｓ１０２でＹＥＳ）、コンテンツ再構成処理部２２０はコンテンツの協調再生を中断し、コンテンツ再生装置１に着信画面を表示させる（Ｓ１０９）。
【００４０】
（効果）
図３に示す処理によると、コンテンツの協調再生中にいずれかの装置に着信があった場合、コンテンツ再構成処理部２２０はコンテンツの視聴が上記着信によって妨げられないようにコンテンツの再生を再構成する（コンテンツ再構成処理ステップ）。また、図３に示す処理によると、コンテンツの協調再生中に着信があっても、着信のあった情報端末装置以外の端末でコンテンツを協調再生し続ける。これにより、ユーザは着信により視聴が妨げられることなくコンテンツを視聴し続けることができる。また、着信割込が有った場合も、コンテンツ再生装置１および情報端末装置の配置位置は変わらないまま、コンテンツの要素の優先度に応じてコンテンツの協調再生を再構築するので、ユーザに最適な状態でコンテンツを視聴させることができる。具体的には、主たる表示要素（動画など）の視聴を優先し、コンテンツ全体からして優先度の低い情報の表示は、着信割込に応じて省くことができる。
【００４１】
〔実施形態２〕
本発明に係るコンテンツ再生装置１のコンテンツ再構成処理部２２０は、コンテンツの協調再生中に、着信検出部２１０により着信が検出されると、着信のあった装置が再生中のコンテンツの視聴を妨げるか否かを判定し、当該コンテンツの視聴を妨げると判定した場合、当該コンテンツの視聴を妨げない他の情報端末装置に着信を転送してもよい。以下、本発明の第２の実施形態について、図４〜図７に基づいて説明する。なお、説明の便宜上、前記実施形態にて説明した部材と同じ機能を有する部材については、同じ符号を付記し、その説明を省略する。
【００４２】
（コンテンツ再構成処理（１）の概要説明）
図４の（ａ）および（ｂ）は、本実施形態に係るコンテンツ再構成処理の概要を示す図である。なお、図４では端末Ｃがコンテンツ再生装置１であり、端末ＡおよびＣ〜Ｄを制御する制御用端末であるとする。図４の（ａ）に示したような端末Ａ〜Ｄにおけるコンテンツの協調再生中に、端末Ｂに対し電話がかかってくると、コンテンツ再生装置１である端末Ｃのコンテンツ再構成処理部２２０は、コンテンツ再構成処理を行う。
【００４３】
具体的には、コンテンツ再構成処理部２２０は、コンテンツ再生装置１および情報端末装置のうち、コンテンツの視聴に影響の少ない位置にある装置の候補リストを作成する。「コンテンツ視聴に影響の少ない位置」とは、例えば協調再生中の端末のうち、両端に位置する端末など、自端末のいずれか片方にしか他の端末が近接していない端末や、協調しているが着信時に音声や動画等の出力を行っていない端末などである。これは、コンテンツの協調再生においては（特に画面表示においては）、連続して配置されている端末に着信画面を表示する（着信を当該情報端末装置で報知する）と、再生しているコンテンツの真ん中に着信画面が現れ、コンテンツの視聴の妨げになるからである。以下の説明では、候補リストには、上述の条件に則って、端末ＡとＤとが含まれているとする。
【００４４】
コンテンツ再構成処理部２２０は次に、作成した候補リストに、着信のあった情報端末装置（端末Ｂ）が含まれているか否かを判定する。上述の通り、端末Ｂは候補リストに含まれていないため、着信画面を表示した場合にコンテンツ視聴に影響がある端末であると判定さえる。この場合、コンテンツ再構成処理部２２０は、端末Ｂに対する着信を、候補リストに記載のいずれかの端末に転送する。なお、ここで着信の転送先の端末は、優先度のより低い表示要素を表示している端末であることが望ましい。
【００４５】
図４の（ａ）に示す場合では、コンテンツ再構成処理部２２０は端末Ａ（動画を表示）より優先度の低い表示要素であるデータ放送を表示している端末Ｄに、着信を転送する。そして、端末Ｄに表示していたデータ放送よりも表示の優先度が低い、番組情報を表示している端末Ｃに、上記データ放送を表示させる（図４の（ｂ））。
【００４６】
（コンテンツ再構成処理（２）の概要説明）
図５の（ａ）および（ｂ）は、本実施形態に係るコンテンツ再構成処理の他の概要を示す図である。なお、図５では端末Ｂがコンテンツ再生装置１であり、端末ＡおよびＣ〜Ｄを制御する制御用端末であるとする。図５の（ａ）に示したような端末Ａ〜Ｄにおけるコンテンツの協調再生中に、端末Ｃに対し電話がかかってくると、コンテンツ再生装置１である端末Ｂのコンテンツ再構成処理部２２０は、コンテンツ再構成処理を行う。
【００４７】
具体的には、コンテンツ再構成処理部２２０は、コンテンツの視聴に影響の少ない位置にある情報端末装置の候補リストを作成する。候補リストには、図４と同様、端末ＡとＤとが含まれているとする。
【００４８】
コンテンツ再構成処理部２２０は図４にて説明したように、作成した候補リストに、着信のあった端末（端末Ｃ）が含まれているか否かを判定する。端末Ｃは候補リストに含まれていないため、コンテンツ再構成処理部２２０は、端末Ｃに対する着信を、候補リストに記載の端末のうち、最も優先度の低い表示要素を表示している端末Ｄに転送する。そして、端末Ｄに表示していたデータ放送よりも表示の優先度が低い、番組情報を表示している端末Ｃに、上記データ放送を表示させる（図５の（ｂ））。
【００４９】
（コンテンツ再構成処理（１）の流れ）
図６は、コンテンツ再構成処理の流れの一例を示すフローチャートである。コンテンツの協調再生中に、協調再生を行っているいずれかの情報端末装置に着信があると、コンテンツ再生装置１のコンテンツ再構成処理部２２０は、着信割込を検知する（Ｓ２０１）。コンテンツ再構成処理部２２０は着信割込を検知すると、まず着信があった装置が、制御用端末であるコンテンツ再生装置１（つまり、自装置）であるか否かを判定する（Ｓ２０２）。自装置である場合（Ｓ２０２でＹＥＳ）、コンテンツ再構成処理部２２０は協調再生している装置のうち、視聴に影響の少ない端末の候補リストを作成する（Ｓ２０５）。そして、候補リストに着信があった装置が含まれるか否かを調べる（Ｓ２０６）。含まれる場合（Ｓ２０６でＹＥＳ）、コンテンツ再構成処理部２２０は、着信があった装置に着信画面を表示させ、当該着信画面の表示による、コンテンツの音声出力および画面表示の再構成を行う（Ｓ２０９）。
【００５０】
一方、候補リストに着信があった装置が含まれない場合（Ｓ２０６でＮＯ）、コンテンツ再構成処理部２２０は候補リストに含まれる装置のうち、協調再生しているコンテンツ（コンテンツの表示要素）の優先度が最も低い装置に着信を転送する（Ｓ２０７）。そして、コンテンツ再構成処理部２２０は図４の（ａ）および（ｂ）にて説明したように、上記着信を転送した装置に着信画面を表示させ、当該着信画面の表示による、コンテンツの音声出力および画面表示の再構成を行う（Ｓ２０８）。
【００５１】
（効果）
図６に示す処理によると、コンテンツの協調再生中に着信があっても、視聴に影響が少ない装置に着信が転送されるので、ユーザは着信により視聴が妨げられずにコンテンツを視聴し続けることができる。また、コンテンツの視聴を妨げにくい、端に配置された装置（図４〜５における端末ＡおよびＤ）に着信を転送するとともに、残りの装置で表示要素の優先度に応じてコンテンツの協調再生を再構成する。これにより、着信割込時でも、ユーザに最適な環境でコンテンツを視聴させることができる。
【００５２】
〔実施形態３〕
本発明に係るコンテンツ再生装置１のコンテンツ再構成処理部２２０が行うコンテンツ再構成処理は、上記各実施形態にて説明したものに限られない。以下、本発明の第３の実施形態として、図７〜図１１を用いてコンテンツ再構成処理の他の例について説明する。
【００５３】
（一般的なコンテンツ再構成処理）
図７は、一般的なコンテンツ再構成処理の概要を示し、（ａ）は着信前、（ｂ）は着信時のコンテンツの表示例を示す図である。端末Ａ〜Ｄにおけるコンテンツの協調再生中に端末Ａに対し電話がかかってくると、端末Ｃの着信検出部２１０は当該着信を検出し、コンテンツ再構成処理部２２０は端末Ｃがコンテンツの協調再生中であるので、着信割込があったと検知する。そして、コンテンツ再構成処理部２２０は着信のあった端末Ａに着信画面を表示させるとともに、端末Ａを除いた装置においてコンテンツの視聴が妨げられないように、コンテンツの音声出力および画面表示を再構成する。つまり、コンテンツ再構成処理部２２０は着信のあった端末Ａ以外の端末Ｂ〜Ｄで協調再生を行うよう再構成する（図７の（ｂ））。
【００５４】
ところで、着信割込があった際に、コンテンツの協調再生を即座に再構成する（すなわち、端末Ａ〜Ｄの画面表示が図７の（ａ）に示すものから（ｂ）に示すものに、即座に切り替わる）と、ユーザのコンテンツの視聴に支障が生じる虞がある。また、複数のユーザでコンテンツを視聴していた場合、画面表示が即座に切替わることで、着信画面を着信があった端末以外の端末のユーザに見られる虞がある。これは、上記各実施形態における懸念点でもある。そのため、コンテンツ再構成処理においては、着信割込を、コンテンツの視聴に影響が無いような方法でユーザに報知し、その後ユーザが確認（画面表示の切換えを許容）してから、各端末の画面表示を切替えることが望ましい。以下、図８〜図１１を用いて着信割込をユーザにまず報知し、ユーザが画面表示の切替えを許容してから画面表示を切替える例について説明する。
【００５５】
（コンテンツ再構成処理（１）の概要説明）
図８は、本実施形態に係るコンテンツ再構成処理の一例の概要を示す図である。コンテンツ再構成処理部２２０は、図８に示すように、着信割込があった場合、かつ、空きエリア（協調再生しているコンテンツの視聴の邪魔にならないエリア）が存在する場合、着信していることを示す着信アイコンＸを、着信があった装置（端末Ａ）のコンテンツ再生画面上に表示することで、ユーザに着信を報知してもよい。これにより、ユーザは着信アイコンの出現から一見して着信があったことを認識することができる。
【００５６】
（コンテンツ再構成処理（２）の概要説明）
図９は、本実施形態に係るコンテンツ再構成処理の他の概要を示す図である。コンテンツ再構成処理部２２０は、図９に示すように、着信アイコンを表示できるような空きエリアが存在しない場合、着信していることを示すポップアップウィンドウＹを、着信があった装置（端末Ａ）のコンテンツ再生画面上で、コンテンツの再生に重ねて表示することで、ユーザに着信を報知してもよい。これにより、ユーザはポップアップウィンドウの出現から一見して着信があったことを認識することができる。
【００５７】
（コンテンツ再構成処理（３）の概要説明）
図１０は、実施形態３に係るコンテンツ再構成処理のさらに他の概要を示す図である。コンテンツ再構成処理部２２０は、図１０に示すように、着信割込があった場合、着信のあった装置（端末Ａ）に設けられた発光ダイオード（ＬＥＤ）Ｚを点灯することでユーザに着信を報知してもよい。また、同図に示すように、着信割込があった場合、着信のあった装置のバイブレーション機能を実行することにより、ユーザに着信を報知してもよい。これにより、ユーザはＬＥＤの点灯により一見して着信があったことを認識することができる。また、ユーザはバイブレーションにより着信があったことを認識することができる。そのため、ユーザはコンテンツ再生装置１または情報端末装置を見ることができない場合でも着信があったことを認識することができる。
【００５８】
（コンテンツ再構成処理の流れ）
図１１は、本実施形態に係るコンテンツ再生装置１の処理の流れを示すフローチャートである。コンテンツを協調再生中のいずれかの装置に着信があると、着信検出部２１０が当該着信を検知し、コンテンツ再構成処理部２２０は当該着信が着信割込であるか判断する。コンテンツ再構成処理部２２０は、着信割込であると判断した場合（着信割込を検知した場合、Ｓ３０１）、上述した図８〜図１０のいずれかの方法で、ユーザに着信割込を報知する（Ｓ３０２）。そして、ユーザに着信割込を受諾（許容）するか否かを判断させる。ユーザは判断結果をタッチパネル等の入力装置を介し、着信があった装置に入力する。ユーザが着信割込を受諾した場合（Ｓ３０３でＹＥＳ）、コンテンツ再生装置１のコンテンツ再構成処理部２２０は、着信のあった装置に、着信画面（着信割込画面）を表示させるとともに（Ｓ３０４）、協調再生中のコンテンツの音量をミュートする（Ｓ３０５）。一方、ユーザが着信割込を受諾しなかった場合（Ｓ３０３でＮＯ）、コンテンツ再構成処理部２２０はＳ３０４〜Ｓ３０５の処理は行わずに処理を終了する。
【００５９】
（効果）
上記の構成によれば、着信割込があった際に、着信画面を表示して良いかユーザに確認をとるため、ユーザのコンテンツの視聴に支障が生じることを防ぐことができる。また、複数のユーザでコンテンツを視聴していた場合に着信があった場合でも、着信画面を着信があった端末以外の端末のユーザに見られることを防ぐことができる。
【００６０】
〔ソフトウェアによる実現例〕
コンテンツ再生装置１の制御ブロック（特に着信検出部２１０およびコンテンツ再構成処理部２２０）は、集積回路（ＩＣチップ）等に形成された論理回路（ハードウェア）によって実現してもよいし、ＣＰＵ（Central Processing Unit）を用いてソフトウェアによって実現してもよい。
【００６１】
後者の場合、コンテンツ再生装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６２】
〔まとめ〕
本発明の態様１に係るコンテンツ再生装置は、コンテンツを再生可能な一つ以上の情報端末装置と協調して、上記コンテンツを再生するコンテンツ再生装置（コンテンツ再生装置１）であって、自装置および上記一つ以上の情報端末装置のうち、少なくとも一つの装置が電話機能を有する場合に、当該電話機能を有する装置の着信を検出する着信検出部（着信検出部２１０）と、上記一つ以上の情報端末装置と協調してコンテンツを再生しているときに、上記着信検出部により着信が検出されると、当該再生中のコンテンツの視聴を妨げないように、当該コンテンツを構成する各要素の再生を自装置および上記一つ以上の情報端末装置がどのように分担するかを再構成するコンテンツ再構成処理部（コンテンツ再構成処理部２２０）と、を備えていることを特徴としている。
【００６３】
上記の構成によれば、コンテンツを再生可能な一つ以上の情報端末装置と協調して、上記コンテンツを再生する（コンテンツを協調再生する）場合で、いずれかの装置に着信があれば、コンテンツの視聴が上記着信によって妨げられないようにコンテンツの再生を再構成する。これにより、ユーザは着信により視聴が妨げられることなくコンテンツを視聴し続けることができる。
【００６４】
本発明の態様２に係るコンテンツ再生装置は、上記態様１において、上記コンテンツ再構成処理部は、自装置が上記一つ以上の情報端末装置と協調してコンテンツを再生しているときに、上記着信検出部により着信が検出されると、再生中のコンテンツを、着信のあった装置を除いた残りの装置を用いて再構成することを特徴としている。
【００６５】
上記の構成によれば、コンテンツの再生中に着信があっても、着信のあった情報端末装置以外の端末でコンテンツを再生し続けるので、ユーザは着信により視聴が妨げられずにコンテンツを視聴し続けることができる。
【００６６】
本発明の態様３に係るコンテンツ再生装置は、上記態様１において、上記コンテンツ再構成処理部は、自装置が上記一つ以上の情報端末装置と協調してコンテンツを再生しているときに、上記着信検出部により着信が検出されると、着信のあった装置が再生中のコンテンツの視聴を妨げるか否かを判定し、当該コンテンツの視聴を妨げると判定した場合、当該コンテンツの視聴を妨げない装置に上記着信を転送することを特徴としている。
【００６７】
上記の構成によれば、コンテンツの再生中に着信があっても、ユーザは着信により視聴が妨げられずにコンテンツを視聴し続けることができる。
【００６８】
本発明の態様４に係るコンテンツ再生装置は、上記態様１〜３の何れか一態様において、上記コンテンツ再構成処理部は、自装置が上記一つ以上の情報端末装置と協調してコンテンツを再生しているときに、上記着信検出部により着信が検出されると、再生中のコンテンツの再構成前に、着信していることを示す着信アイコンを、上記着信のあった装置のコンテンツ再生画面上に表示させることを特徴としている。
【００６９】
上記の構成によれば、ユーザは着信アイコンの出現から一見して着信があったことを認識することができる。
【００７０】
本発明の態様５に係るコンテンツ再生装置は、上記態様１〜３の何れか一態様において、上記コンテンツ再構成処理部は、自装置が上記一つ以上の情報端末装置と協調してコンテンツを再生しているときに、上記着信検出部により着信が検出されると、再生中のコンテンツの再構成前に、上記着信のあった装置に設けられたＬＥＤを点灯することを特徴としている。
【００７１】
上記の構成によれば、ユーザはＬＥＤの点灯により一見して着信があったことを認識することができる。
【００７２】
本発明の態様６に係るコンテンツ再生装置は、上記態様１〜３の何れか一態様において、上記コンテンツ再構成処理部は、自装置が上記一つ以上の情報端末装置と協調してコンテンツを再生しているときに、上記着信検出部により着信が検出されると、再生中のコンテンツの再構成前に、上記着信のあった装置のバイブレーション機能を実行することを特徴としている。
【００７３】
上記の構成によれば、ユーザはバイブレーションにより着信があったことを認識することができる。そのため、ユーザは情報端末装置を見ることができない場合でも着信があったことを認識することができる。
【００７４】
本発明の態様７に係る、コンテンツ再生装置の制御方法は、コンテンツを再生可能な一つ以上の情報端末装置と協調して、上記コンテンツを再生するコンテンツ再生装置（コンテンツ再生装置１）の制御方法であって、コンテンツ再生装置および上記一つ以上の情報端末装置のうち、少なくとも一つの装置が電話機能を有する場合に、当該電話機能を有する装置の着信を検出する着信検出ステップと、上記コンテンツ再生装置と上記一つ以上の情報端末装置とが協調してコンテンツを再生しているときに、上記着信検出ステップにおいて着信が検出されると、当該再生中のコンテンツの視聴を妨げないように、当該コンテンツを構成する各要素の再生を上記コンテンツ再生装置および上記一つ以上の情報端末装置がどのように分担するかを再構成するコンテンツ再構成処理ステップと、を含む。
【００７５】
上記の構成によれば、上記態様１に係るコンテンツ再生装置と同様の効果を奏する。
【００７６】
本発明の各態様に係るコンテンツ再生装置は、コンピュータによって実現してもよく、この場合には、コンピュータを上記コンテンツ再生装置が備える各部（ソフトウェア要素）として動作させることにより上記コンテンツ再生装置をコンピュータにて実現させるコンテンツ再生装置の制御プログラム、およびそれを記録したコンピュータ読み取り可能な記録媒体も、本発明の範疇に入る。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７８】
１  コンテンツ再生装置
２００  コンテンツ再生処理部
２１０  着信検出部
２２０  コンテンツ再構成処理部
【図１】
2017118383.tif 000003
【図２】
2017118383.tif 000004
【図３】
2017118383.tif 000005
【図４】
2017118383.tif 000006
【図５】
2017118383.tif 000007
【図６】
2017118383.tif 000008
【図７】
2017118383.tif 000009
【図８】
2017118383.tif 000010
【図９】
2017118383.tif 000011
【図１０】
2017118383.tif 000012
【図１１】
2017118383.tif 000013